(57)【要約】【課題】着脱可能な装置を利用して画像データを受信する表示装置に対し、通信を実行するための情報の入力等に関する制限を緩和する。【解決手段】デバイスを接続するインターフェイス部１１と、インターフェイス部１１に通信モジュール２６が接続された場合に、通信モジュール２６を介して通信を実行させるデバイス制御部４１と、通信モジュール２６を介して受信された画像データに基づいて画像を表示する表示手段３７と、を備え、デバイス制御部４１は、インターフェイス部１１から通信モジュール２６が外れたことを検出した場合、通信モジュール２６を用いたネットワーク接続情報を取得し、記憶デバイス２５がインターフェイス部１１に接続されたことを検出して、ネットワーク接続情報を記憶デバイス２５に記憶させる。【選択図】図１
2014059714.tif 000002
【特許請求の範囲】
【請求項１】
デバイスを接続するインターフェイス部と、
前記インターフェイス部に通信デバイスが接続された場合に、前記通信デバイスを介して通信を実行させるデバイス制御手段と、
前記通信デバイスを介して受信された画像データに基づいて画像を表示する表示手段と、を備え、
前記デバイス制御手段は、前記インターフェイス部から前記通信デバイスが外れたことを検出した場合、前記通信デバイスを用いた通信に関する通信情報を取得し、
データを記憶可能な記憶デバイスが前記インターフェイス部に接続されたことを検出して、前記通信情報を前記記憶デバイスに記憶させること、
を特徴とする表示装置。
【請求項２】
請求項１に記載の表示装置であって、
前記デバイス制御手段は、前記通信デバイスとして、無線通信ネットワークに接続する無線通信デバイスが接続された場合に、指定された通信情報に基づいて前記無線通信デバイスにより通信を実行し、
前記インターフェイス部から前記通信デバイスが外れたことを検出した場合、前記通信情報を取得し、前記記憶デバイスに記憶させることを特徴とする表示装置。
【請求項３】
請求項１または２記載の表示装置であって、
前記インターフェイス部は、前記通信デバイスと前記記憶デバイスとのいずれも接続可能な接続部を有することを特徴とする表示装置。
【請求項４】
請求項１に記載の表示装置であって、
前記デバイス制御手段は、前記通信デバイスとして有線通信回線を介して通信を実行する有線通信デバイスが接続された場合に、この有線通信デバイスにより前記通信情報に基づき通信を実行し、
前記インターフェイス部から前記通信デバイスが外れたことを検出した場合、前記通信情報を取得し、前記記憶デバイスに記憶させることを特徴とする表示装置。
【請求項５】
請求項１から４のいずれかに記載の表示装置であって、
前記表示手段によりメニュー画面を表示させるメニュー表示制御手段と、
入力操作を検出する操作検出手段と、
前記表示手段によりメニュー画面が表示された状態で前記操作検出手段によって検出された入力操作に基づき、前記デバイス制御手段が前記記憶デバイスに情報を記憶させる動作を設定する設定手段と、を備え、
前記デバイス制御手段は、前記インターフェイス部から前記通信デバイスが外れたことを検出した後、前記記憶デバイスが前記インターフェイス部に接続されたことを検出した場合に、前記設定手段の設定に基づいて動作を行うこと、
を特徴とする表示装置。
【請求項６】
表示装置と、前記表示装置に着脱可能な通信デバイスと、前記表示装置に対して画像データを供給する画像供給装置と、を備え、
前記表示装置は、
デバイスを接続するインターフェイス部と、
前記インターフェイス部に前記通信デバイスが接続された場合に、前記通信デバイスを介して通信を実行させ、前記インターフェイス部から前記通信デバイスが外れたことを検出した場合に前記通信デバイスを用いた通信に関する通信情報を取得し、データを記憶可能な記憶デバイスが前記インターフェイス部に接続されたことを検出した場合に前記記憶デバイスに前記通信情報を記憶させるデバイス制御手段と、
前記通信デバイスを介して受信された画像データに基づいて画像を表示する表示手段と、を備え、
前記画像供給装置は、前記記憶デバイスが接続された場合に、前記記憶デバイスから前記通信情報を読み出して設定し、前記表示装置と通信を行うこと、
を特徴とする表示システム。
【請求項７】
デバイスを接続するインターフェイス部を備えた表示装置の制御方法であって、
前記インターフェイス部に通信デバイスが接続された場合に、前記通信デバイスを介して通信を実行させ、
前記通信デバイスを介して受信された画像データに基づいて画像を表示し、
前記インターフェイス部から前記通信デバイスが外れたことを検出した場合、前記通信デバイスを用いた通信に関する通信情報を取得し、
データを記憶可能な記憶デバイスが前記インターフェイス部に接続されたことを検出した場合に、前記通信情報を前記記憶デバイスに記憶させること、
を特徴とする表示装置の制御方法。
【発明の詳細な説明】
【技術分野】
【０００１】
本発明は、表示装置、表示システム、および、表示装置の制御方法に関する。
【背景技術】
【０００２】
従来、パーソナルコンピューター等の画像供給装置から画像データを受信して表示する表示装置が知られている。このような表示装置は、通常、通信ネットワークを介して画像供給装置と接続される。
ところで、表示装置と画像供給装置を通信可能な状態とするためには、ＩＰアドレスや無線ＬＡＮのＳＳＩＤ、ＥＳＳＩＤ等のネットワーク接続情報を設定する必要があるが、これらの情報を入力・設定する操作は煩雑である。このため、従来、ネットワーク接続情報を記憶した情報記憶媒体を表示装置に接続することで、表示装置へのネットワーク接続情報の設定を可能とするシステムが提案された（例えば、特許文献１参照）。
【先行技術文献】
【特許文献】
【０００３】
【特許文献１】特開２００５−２０２７５４号公報
【発明の概要】
【発明が解決しようとする課題】
【０００４】
ところで、表示装置が利用する通信装置は、表示装置に対して固定的に設けられるものの他、着脱可能なものとすることも考えられる。しかし、上記のようにネットワーク接続情報の入力を容易にすべく情報記憶媒体を利用する場合、通信装置及び情報記憶媒体が両方とも接続された状態とする必要があり、この状態に対応する数の接続コネクター等を設ける必要があった。
本発明は、上述した事情を鑑みてなされたものであり、表示装置と画像供給装置とを通信可能に接続する場合に、通信に係る情報の設定を容易にし、表示装置における機器の接続状態等に関する制限を緩和することを目的とする。
【課題を解決するための手段】
【０００５】
上記目的を達成するために、本発明は、デバイスを接続するインターフェイス部と、前記インターフェイス部に通信デバイスが接続された場合に、前記通信デバイスを介して通信を実行させるデバイス制御手段と、前記通信デバイスを介して受信された画像データに基づいて画像を表示する表示手段と、を備え、前記デバイス制御手段は、前記インターフェイス部から前記通信デバイスが外れたことを検出した場合、前記通信デバイスを用いた通信に関する通信情報を取得し、データを記憶可能な記憶デバイスが前記インターフェイス部に接続されたことを検出して、前記通信情報を前記記憶デバイスに記憶させること、を特徴とする。
本発明によれば、インターフェイス部に記憶デバイスを接続することにより、通信デバイスにより通信を実行する際に用いた通信情報を記憶デバイスに記憶させ、記憶デバイスに記憶させた通信情報を画像供給装置等に読み込ませることで、これらの装置における通信情報の設定を簡単に行える。また、通信デバイスを取り外してから記憶デバイスを接続すれば、記憶デバイスに通信情報を記憶させることができる。つまり、通信デバイスと記憶デバイスの両方を同時に接続する必要がなく、例えば一つのインターフェイス部に通信デバイスと記憶デバイスをつなぎ替えることで、記憶デバイスに情報を記憶させることができ、情報を記憶するタイミングも制限されないという利点がある。
【０００６】
また、本発明は、上記表示装置であって、前記デバイス制御手段は、前記通信デバイスとして無線通信ネットワークに接続する無線通信デバイスが接続された場合に、指定された通信情報に基づいて前記無線通信デバイスにより通信を実行し、前記インターフェイス部から前記通信デバイスが外れたことを検出した場合、前記通信情報を取得し、前記記憶デバイスに記憶させることを特徴とする。
本発明によれば、無線通信を行う場合であっても、通信に用いる通信情報を容易に記憶デバイスに記憶させることができる。
【０００７】
また、本発明は、上記表示装置であって、前記インターフェイス部は、前記通信デバイスと前記記憶デバイスとのいずれも接続可能な接続部を有することを特徴とする。
本発明によれば、通信デバイスと記憶デバイスを同じ接続部に接続可能であるため、インターフェイス部が一つの接続部のみ備えた構成とすることができ、部品点数の削減により装置構成の単純化および表示装置の小型化を実現できる。
【０００８】
また、本発明は、上記表示装置であって、前記デバイス制御手段は、前記通信デバイスとして有線通信回線を介して通信を実行する有線通信デバイスが接続された場合に、この有線通信デバイスにより前記通信情報に基づき通信を実行し、前記インターフェイス部から前記通信デバイスが外れたことを検出した場合、前記通信情報を取得し、前記記憶デバイスに記憶させることを特徴とする。
本発明によれば、有線通信を行う場合であっても、通信情報を記憶デバイスに記憶して、画像供給装置の設定等に利用できる。
【０００９】
また、本発明は、上記表示装置であって、前記表示手段によりメニュー画面を表示させるメニュー表示制御手段と、入力操作を検出する操作検出手段と、前記表示手段によりメニュー画面が表示された状態で前記操作検出手段によって検出された入力操作に基づき、前記デバイス制御手段が前記記憶デバイスに情報を記憶させる動作を設定する設定手段と、を備え、前記デバイス制御手段は、前記インターフェイス部から前記通信デバイスが外れたことを検出した後、前記記憶デバイスが前記インターフェイス部に接続されたことを検出した場合に、前記設定手段の設定に基づいて動作を行うこと、を特徴とする。
本発明によれば、メニュー画面を表示させて入力操作を行うことで、通信情報を記憶デバイスに記憶させるか否か等の設定を行うことができる。
【００１０】
また、上記目的を達成するために、本発明は、表示装置と、前記表示装置に着脱可能な通信デバイスと、前記表示装置に対して画像データを供給する画像供給装置と、を備え、前記表示装置は、デバイスを接続するインターフェイス部と、前記インターフェイス部に前記通信デバイスが接続された場合に、前記通信デバイスを介して通信を実行させ、前記インターフェイス部から前記通信デバイスが外れたことを検出した場合に前記通信デバイスを用いた通信に関する通信情報を取得し、データを記憶可能な記憶デバイスが前記インターフェイス部に接続されたことを検出した場合に前記記憶デバイスに前記通信情報を記憶させるデバイス制御手段と、前記通信デバイスを介して受信された画像データに基づいて画像を表示する表示手段と、を備え、前記画像供給装置は、前記記憶デバイスが接続された場合に、前記記憶デバイスから前記通信情報を読み出して設定し、前記表示装置と通信を行うこと、を特徴とする。
本発明によれば、表示装置に通信デバイスを接続して通信を行う表示システムにおいて、表示装置に記憶デバイスを接続すると通信デバイスが通信を実行する際に用いた通信情報を記憶デバイスに記憶させることができ、この記憶デバイスを画像供給装置に接続することで、通信情報を画像供給装置に読み込ませて設定できる。従って、記憶デバイスを利用して、表示装置と画像供給装置とにおいて通信情報を簡単に設定できる。
また、表示装置には通信デバイスと記憶デバイスとを同時に接続する必要がなく、例えば一つのインターフェイス部に通信デバイスと記憶デバイスを順次接続して情報を記憶でき、また、情報を記憶するタイミングに関する制限が無いという利点がある。
【００１１】
また、上記目的を達成するために、本発明は、デバイスを接続するインターフェイス部を備えた表示装置の制御方法であって、前記インターフェイス部に通信デバイスが接続された場合に、前記通信デバイスを介して通信を実行させ、前記通信デバイスを介して受信された画像データに基づいて画像を表示し、前記インターフェイス部から前記通信デバイスが外れたことを検出した場合、前記通信デバイスを用いた通信に関する通信情報を取得し、データを記憶可能な記憶デバイスが前記インターフェイス部に接続されたことを検出した場合に、前記通信情報を前記記憶デバイスに記憶させること、を特徴とする。
本発明によれば、インターフェイス部に記憶デバイスを接続することにより、通信デバイスにより通信を実行する際に用いた通信情報を記憶デバイスに記憶させ、記憶デバイスに記憶させた通信情報を画像供給装置等に読み込ませることで、これらの装置における通信情報の設定を簡単に行える。また、通信デバイスを取り外してから記憶デバイスを接続すれば、記憶デバイスに通信情報を記憶させることができる。つまり、通信デバイスと記憶デバイスの両方を同時に接続する必要がないため、例えば一つのインターフェイス部に通信デバイスと記憶デバイスを順次接続して情報を記憶でき、また、情報を記憶するタイミングに関する制限が無いという利点がある。
【発明の効果】
【００１２】
本発明によれば、表示装置が利用する通信デバイスが用いた通信情報を、記憶デバイスに記憶させることができ、この記憶デバイスを利用して、例えば画像供給装置の通信情報の設定を簡単に行うことができる。そして、通信デバイスと記憶デバイスの両方を同時に表示装置に接続している必要がなく、インターフェイス部の構成や情報を記憶するタイミングに関する制限を回避できる。
【図面の簡単な説明】
【００１３】
【図１】本発明の実施形態に係るプロジェクションシステムの機能ブロック図である。
【図２】ネットワーク接続情報の設定の手順を示す説明図である。
【図３】プロジェクターの動作を示すフローチャートである。
【発明を実施するための形態】
【００１４】
以下、図面を参照して本発明を適用した実施形態について説明する。
図１は、本発明の実施形態に係るプロジェクションシステム１（表示システム）を構成するプロジェクター１０及びＰＣ５０の構成を示す機能ブロック図である。
プロジェクションシステム１は、投射面であるスクリーンＳＣに画像を投射する表示装置の一種であるプロジェクター１０に、画像を供給する画像供給装置としてのＰＣ（パーソナルコンピューター）５０を接続して構成される。
プロジェクター１０は、ＰＣ５０等のコンピューターや各種画像プレーヤー等の外部の画像供給装置に通信回線を介して接続される。この通信回線は有線であっても無線であってもよいし、ＤＶＩインターフェイス、ＨＤＭＩインターフェイス、Ｅｔｅｈｅｒｎｅｔ（登録商標）、無線ＬＡＮ、ＵＷＢ等の各種の通信方式を利用できる。本実施形態では、通信回線として無線ＬＡＮ規格に準じた無線通信ネットワーク１００を用いる場合について説明する。プロジェクションシステム１においてＰＣ５０からプロジェクター１０に伝送される画像データは、動画像（映像）データであっても良いし、静止画像データであってもよい。
【００１５】
プロジェクター１０は、外部接続用のインターフェイスとして、インターフェイス部（Ｉ／Ｆ）１１を備えている。インターフェイス部１１は、ＵＳＢ規格に準拠したＵＳＢコネクター１１ａを有する。ＵＳＢコネクター１１ａには、ＵＳＢ規格に準拠した様々なデバイスを接続可能であり、本実施形態では、通信モジュール２６や、記憶デバイス２５（記憶デバイス）が接続される場合を例示する。
【００１６】
通信モジュール２６は、ＵＳＢコネクター１１ａに接続可能なＵＳＢコネクター２６ａを備え、この通信モジュール２６をＵＳＢコネクター１１ａに接続することにより、プロジェクター１０は、無線通信ネットワーク１００に接続可能となる。通信モジュール２６は、アンテナ２６ｂ、アンテナ２６ｂを介して無線信号を送受信する通信回路２６ｃ、及び、通信回路２６ｃを制御するコントローラー２６ｄを備えている。コントローラー２６ｄは、ＵＳＢスレーブデバイスとして動作するデバイスコントローラーであり、プロジェクター１０の制御部１４との間で通信を実行する。
通信モジュール２６がＵＳＢコネクター１１ａに接続された場合、コントローラー２６ｄと制御部１４との間で通信が実行され、通信モジュール２６がプロジェクター１０によって認識される。その後、プロジェクター１０の制御部１４は、通信モジュール２６を制御して無線通信ネットワーク１００に接続する。その後、制御部１４は、通信モジュール２６を介して、ＰＣ５０との間で各種データを送受信する。
【００１７】
無線通信ネットワーク１００は、プロジェクター１０とＰＣ５０とが１対１で直接通信する通信回線であってもよいし、他のＰＣ、無線ＬＡＮアクセスポイント、無線ＬＡＮルーター等の機器を含んでもよい。本実施形態では、プロジェクター１０およびＰＣ５０は無線ＬＡＮのアドホックモードで動作し、直接、相互に無線信号を送受信するものとして説明する。
【００１８】
プロジェクター１０とＰＣ５０とが相互に通信を行うためには、プロジェクター１０とＰＣ５０の双方に、整合するネットワーク接続情報（通信情報）が設定されている必要がある。ネットワーク接続情報とは、ネットワークを介して通信を行うために必要な情報を指し、参加するネットワークを指定（識別）する情報と、送受信される情報の識別、暗号化、復号等を行うための情報を含む。具体的には、例えば無線通信ネットワーク１００において使用されるＥＳＳＩＤ、ＳＳＩＤ、通信プロトコルの種類、暗号化方式の種類（ＷＥＰ、ＡＥＳ、ＴＫＩＰ等）、暗号化／復号を行うための暗号キー（ＷＥＰキー、ＷＡＰキー等）等を含む。また、ネットワーク接続情報には、ＩＰアドレス、サブネットマスク、ＭＡＣアドレス等のハードウェアに固有の情報を含んでもよい。
例えばプロジェクター１０とＰＣ５０とがＷＥＰ方式により通信を行う場合、ＰＣ５０とプロジェクター１０に、共通のＳＳＩＤ及びＷＥＰキーが設定されている必要がある。
【００１９】
プロジェクター１０とＰＣ５０の両方に、同一のネットワーク接続情報を正確に入力及び設定する操作は煩雑である。そこで、プロジェクションシステム１では、ネットワーク接続情報の入力及び設定を容易にするため、記憶デバイス２５が利用される。
記憶デバイス２５は、ＵＳＢコネクター１１ａに接続可能なＵＳＢコネクター２５ａと、データを記憶するフラッシュＲＯＭ２５ｂと、フラッシュＲＯＭ２５ｂへのデータの書き込み／読み出しを制御するコントローラー２５ｃとを備える。コントローラー２５ｃは、ＵＳＢスレーブデバイスとして動作するデバイスコントローラーであり、プロジェクター１０の制御部１４との間で通信を実行する。プロジェクター１０は、インターフェイス部１１を介して記憶デバイス２５に対するデータの書き込みおよび読み出しが可能である。プロジェクター１０は、ＵＳＢコネクター１１ａに記憶デバイス２５が接続された場合に、通信モジュール２６に設定されているネットワーク接続情報を、記憶デバイス２５に書き込む機能を備え、この記憶デバイス２５をＰＣ５０に接続すると、ＰＣ５０により記憶デバイス２５からネットワーク接続情報がロードされ、ネットワーク接続情報が設定される。
記憶デバイス２５は、汎用のＵＳＢメモリーデバイス等と同様の構成としてもよいが、ネットワーク接続情報の授受のために用いるデバイスであることをプロジェクター１０が識別できることが好ましい。例えば、プロジェクター１０のデバイス制御部４１が、記憶デバイス２５のコントローラー２５ｃが有するデバイスＩＤやベンダーＩＤ等の情報に基づき、汎用のＵＳＢメモリーデバイスとは異なるデバイスであることを識別できることが好ましい。プロジェクター１０は、後述するように、汎用のＵＳＢメモリーデバイスがＵＳＢコネクター１１ａに接続された場合に、画像データを読み出す等、記憶デバイス２５に対する処理とは異なる処理を実行することがあるためである。
【００２０】
図２は、ネットワーク接続情報の設定の手順を示す説明図であり、（Ａ）〜（Ｄ）は各段階における通信モジュール２６及び記憶デバイス２５の接続状態を示す。
図２の例ではプロジェクター１０の筐体の側面にＵＳＢコネクター１１ａが配置されている。まず、図２（Ａ）に示すように、ＵＳＢコネクター１１ａに通信モジュール２６が接続され、操作パネル（図示略）の操作またはリモコン２８の操作によって、ネットワーク接続情報が入力され、設定される。
続いて、図２（Ｂ）に示すように、ＵＳＢコネクター１１ａから通信モジュール２６が取り外される。ここで、プロジェクター１０の制御部１４は、通信モジュール２６が外されたことを検出して、通信モジュール２６に設定されていたネットワーク接続情報を取得して一時的に記憶する。続いて、ＵＳＢコネクター１１ａに記憶デバイス２５が接続され、制御部１４は、記憶デバイス２５にネットワーク接続情報を書き込む。
【００２１】
記憶デバイス２５をプロジェクター１０から取り外し、図２（Ｃ）に示すようにＰＣ５０に接続すると、記憶デバイス２５に書き込まれたネットワーク接続情報がＰＣ５０によってロードされる。ＰＣ５０は、後述するように無線通信を実行可能な通信インターフェイス６３（図１）を備えているので、設定されたネットワーク接続情報に基づく無線通信が可能となる。
また、プロジェクター１０から記憶デバイス２５が取り外された後、通信モジュール２６が再び接続されると、プロジェクター１０は、通信モジュール２６により無線通信を実行可能となる。
そして、図２（Ｄ）に示すように、プロジェクター１０に通信モジュール２６が接続され、かつ、ＰＣ５０に記憶デバイス２５が接続された状態になると、プロジェクター１０とＰＣ５０とが相互に無線通信を実行可能となる。この状態で、プロジェクター１０とＰＣ５０は通信を実行し、例えばＰＣ５０からプロジェクター１０に画像データが供給される。
【００２２】
図２（Ａ）〜（Ｄ）を参照して説明した手順によれば、記憶デバイス２５を利用することで、ＰＣ５０において手作業でネットワーク接続情報を入力することなく、プロジェクター１０とＰＣ５０に共通のネットワーク接続情報を設定できる。このため、入力ミスによる設定の失敗等を避けることができ、より簡易に、速やかにネットワーク接続情報を設定できる。
また、プロジェクター１０においては、ＵＳＢコネクター１１ａに通信モジュール２６を接続してネットワーク接続情報を設定した後、通信モジュール２６を記憶デバイス２５に差し替えると、記憶デバイス２５にネットワーク接続情報が書き込まれる。さらに、記憶デバイス２５と通信モジュール２６を差し替えると、通信モジュール２６により通信可能となる。つまり、通信モジュール２６によるネットワーク接続情報の設定、通信実行、及び、記憶デバイス２５によるネットワーク接続情報の設定を、一つのＵＳＢコネクター１１ａにより実行できる。従って、プロジェクター１０が備えるＵＳＢコネクター１１ａが一つだけであっても、利便性を損なうことがない。言い換えれば、ユーザビリティーを損なうことなく、ＵＳＢコネクター１１ａの数を減らして一つだけにすることができ、プロジェクター１０の小型化を実現できる。
【００２３】
図１に戻り、プロジェクター１０は、光学的な画像の形成を行う投射部２０と、この投射部２０に入力される画像信号を電気的に処理する画像処理系３０とを備えている。
投射部２０は、照明光学系２１、光変調装置２２、及び投射光学系２３から構成される。照明光学系２１は、キセノンランプ、超高圧水銀ランプ、ＬＥＤ（Ｌｉｇｈｔ  Ｅｍｉｔｔｉｎｇ  Ｄｉｏｄｅ）、レーザー光源等からなる光源を備えている。また、照明光学系２１は、光源が発した光を光変調装置２２に導くリフレクター及び補助リフレクターを備えていてもよく、投射光の光学特性を高めるためのレンズ群（図示略）、偏光板、或いは光源が発した光の光量を光変調装置２２に至る経路上で低減させる調光素子等を備えたものであってもよい。照明光学系２１には、制御部１４の制御に従って照明光学系２１の光源を駆動する光源駆動部３５が接続されている。
【００２４】
光変調装置２２は、画像処理系３０からの信号を受けて、照明光学系２１が発した光を変調して画像光とする。光変調装置２２の具体的な構成としては、例えば、ＲＧＢの各色に対応した３枚の透過型または反射型の液晶ライトバルブを用いた方式が挙げられる。この場合、光変調装置２２には、照明光学系２１が発した光がダイクロイックミラー等によりＲ、Ｇ、Ｂの各色光に分離されて入射する。光変調装置２２の液晶ライトバルブは、後述する光変調装置駆動部３３によって駆動され、各色光を変調する。変調された各色光はクロスダイクロイックプリズムにより合成され、投射光学系２３に導かれる。また、例えば、光変調装置２２を１枚の液晶ライトバルブとカラーホイールを組み合わせた方式としてもよく、単板のデジタルミラーデバイス（ＤＭＤ）とカラーホイールを組み合わせた方式、ＲＧＢ各色の色光を変調する３つのＤＭＤを用いた方式等により構成してもよい。単板の液晶パネルまたはＤＭＤを用いる場合には、色光の分離／合成をする光学部品は不要である。
【００２５】
投射光学系２３は、光変調装置２２で変調された入射光をスクリーンＳＣ上に投射して結像させるためのレンズ群等を備えて構成される。投射光学系２３は、投射光量を絞る絞り等を調整するためのモーター類を備え、制御部１４の制御に従って上記モーター等を駆動する投射光学系駆動部３４が接続され、この投射光学系駆動部３４の制御によりスクリーンＳＣ上の投射画像の拡大、縮小及びフォーカス調整が行われる。
【００２６】
画像処理系３０は、プロジェクター１０全体を統合的に制御する制御部１４を中心に構成され、制御部１４が処理するデータや制御部１４が実行するプログラム等を一時的に記憶する記憶部１５、入力操作を検出する入力処理部１６、記憶部１５に格納された画像データやＰＣ５０から受信した画像データを処理する画像処理部３１、及び画像処理部３１から出力される画像信号に基づいて光変調装置２２を駆動して描画を行う光変調装置駆動部３３を備えている。
【００２７】
記憶部１５には、制御部１４を構成する各制御部に実行させるための制御プログラムが格納されている。制御部１４は、記憶部１５に記憶された制御プログラムを読み出して実行することにより、プロジェクター１０の各部を制御する。
入力処理部１６（操作検出手段）は、プロジェクター１０を操作するリモコン２８が送信する無線信号を受信してデコードし、リモコン２８における操作を検出する機能、及び、プロジェクター１０の操作パネル（図示略）におけるボタン操作を検出する機能を有する。入力処理部１６は、リモコン２８や操作パネルにおける操作を示す操作信号を生成して、制御部１４に出力する。
制御部１４は、入力処理部１６から入力される操作情報に基づいて、ユーザーが行った操作の内容を検出し、この操作に応じて画像処理部３１、光変調装置駆動部３３、投射光学系駆動部３４及び光源駆動部３５を制御して、スクリーンＳＣに画像を投射させる。
これらの投射部２０及び画像処理系３０の主要部により、画像データに基づく画像を表示する表示手段３７が構成される。
【００２８】
また、記憶部１５は、通信設定データ記憶部１５ａ、ＯＳＤ画像記憶部１５ｂ、及び設定記憶部１５ｃを備えている。
通信設定データ記憶部１５ａは、通信モジュール２６を利用して無線通信ネットワーク１００に接続するための情報を記憶する。通信設定データ記憶部１５ａには、例えば、操作パネル（図示略）やリモコン２８の操作によって設定されたネットワーク接続情報が記憶され、このネットワーク接続情報に基づき通信モジュール２６が通信を実行する。
ＯＳＤ画像記憶部１５ｂは、制御部１４の制御によって、投射画像に重畳してスクリーンＳＣに投射されるＯＳＤ画像の画像データを記憶する。本実施形態のＯＳＤ画像記憶部１５ｂには、プロジェクター１０本体の機能に関する設定を行うためのメニュー画面の画像データが格納されている。ユーザーは、スクリーンＳＣにＯＳＤ画像が表示された状態で、リモコン２８を操作することにより、プロジェクター１０の機能に係る各種設定を行うことができる。
設定記憶部１５ｃは、プロジェクター１０本体の機能に係る設定情報を記憶する。この設定情報は、例えば、記憶デバイス２５がＵＳＢコネクター１１ａに接続された場合に、記憶デバイス２５にネットワーク接続情報を書き込むか否かの設定に関する情報である。この設定情報は、例えば、操作パネル（図示略）やリモコン２８の操作により、スクリーンＳＣにＯＳＤ画像としてメニュー画面が表示され、設定される。
【００２９】
制御部１４は、インターフェイス部１１に接続されるデバイスを制御するデバイス制御部４１と、画像処理系３０の各部を制御してスクリーンＳＣに画像を投射させる投射制御部４３と、スクリーンＳＣに投射された画像の台形歪み補正等を実行する補正制御部４４と、ＯＳＤによるメニュー画面の表示制御を行うメニュー表示部４５（メニュー表示制御手段）と、入力処理部１６による入力操作に基づいた情報をメニュー画面の種類に応じて通信設定データ記憶部１５ａや設定記憶部１５ｃに格納する設定部４７（設定手段）と、を備えている。これらの各機能部は、制御部１４が記憶部１５に記憶されたプログラムを実行することにより、実現される。
【００３０】
デバイス制御部４１は、ＵＳＢホストコントローラーとして機能し、ＵＳＢコネクター１１ａに接続されたデバイスを制御する。デバイス制御部４１は、ＵＳＢコネクター１１ａに記憶デバイス２５または通信モジュール２６が接続されたことを検出して、接続された機器を判別し、対応するデバイスドライバープログラムを実行し、記憶デバイス２５に対するデータの書き込み／読み出し、または通信モジュール２６を用いた通信を実行可能とする。
また、デバイス制御部４１は、上述のように、通信モジュール２６がＵＳＢコネクター１１ａから取り外されたことを検出すると、通信モジュール２６で使用するネットワーク接続情報を、記憶部１５に、ネットワーク接続情報１５ｄとして一時的に記憶する。その後、デバイス制御部４１は、記憶デバイス２５がＵＳＢコネクター１１ａに接続されたことを検出すると、ネットワーク接続情報１５ｄを記憶部１５から読み出して、記憶デバイス２５に書き込む。
【００３１】
画像処理部３１は、制御部１４の制御に従って、ＰＣ５０から入力された画像データを取得して、画像サイズ或いは解像度、静止画像か動画像であるかを判別し、動画像の場合はフレームレート等の画像データの属性を判定する。そして、画像処理部３１は、フレーム毎にフレームメモリー３２に画像を展開する。また、画像処理部３１は、取得した画像データの解像度が光変調装置２２の液晶パネルの表示解像度と異なる場合には解像度変換処理を行い、リモコンや操作パネルの操作によりズームが指示された場合には拡大／縮小処理を行って、これらの処理後の画像をフレームメモリー３２に展開する。その後、画像処理部３１は、フレームメモリー３２に展開したフレーム毎の画像を表示信号として光変調装置駆動部３３に出力する。
【００３２】
一方、ＰＣ５０は、プログラムを実行してＰＣ５０の各部を制御する制御部６０、キーボードやマウス等の入力デバイス（図示略）による入力操作を検出する入力部５４、液晶ディスプレイ等の表示デバイス（図示略）に表示信号を出力して、制御部６０による処理結果や操作用の画面を表示させる表示部５５、ＵＳＢコネクター５８ａを有するインターフェイス部５８、及び、制御部６０が実行するアプリケーションプログラムや各種データを不揮発的に記憶する記憶部５６を備えている。
制御部６０は、ＰＣ５０を中枢的に制御するものであり、各種プログラムを実行するＣＰＵ、ＣＰＵにより実行される基本制御プログラム等を記憶するＲＯＭ、ＣＰＵが実行するプログラムや処理対象のデータ等を一時的に記憶するワークエリアを形成するＲＡＭ、その他周辺回路等を備えている。
また、ＰＣ５０は、無線通信方式によってプロジェクター１０との間で画像データ等の各種データを送受信するためのインターフェイスとして、通信インターフェイス（Ｉ／Ｆ）６３を備えている。通信インターフェイス６３は、図示しないアンテナや通信回路等を備え、制御部６０のＣＰＵによって制御される。
【００３３】
制御部６０は、ＰＣ５０の各部の初期化を行う。その後、制御部６０は、入力部５４における入力操作に従って、記憶部５６に記憶されたアプリケーションプログラム５６ａを読み出して実行することにより、各種機能を実現する。例えば、制御部６０は、入力部５４における入力操作に従って、制御部６０がアプリケーションプログラムを実行することにより生成した画像データ、記憶部５６に記憶している画像データ、表示部５５に表示されている画像の画像データ、或いは、外部の記録媒体や別の装置から取得した画像データを、プロジェクター１０に出力する。
インターフェイス部５８は、ＵＳＢコネクター５８ａに接続されたＵＳＢデバイスに対してＵＳＢホストコントローラーとして機能し、これらＵＳＢデバイスを制御する。上述したように、ＵＳＢコネクター５８ａに記憶デバイス２５が接続された場合、制御部６０は記憶デバイス２５からネットワーク接続情報をロードして、通信インターフェイス６３に設定し、このネットワーク接続情報に基づいて無線通信を実行する。
【００３４】
ここで、記憶デバイス２５がＵＳＢコネクター５８ａに接続された場合に、制御部６０が、予めフラッシュＲＯＭ２５ｂに記憶されているプログラムを自動的にロードして実行してもよい。そして、このプログラムを実行することで、制御部６０がネットワーク接続情報を記憶デバイス２５からロードする機能や、ロードしたネットワーク接続情報を通信インターフェイス６３に設定する機能等を具備する構成としてもよい。この場合、一般的なコンピューターとしてのＰＣ５０に、特別な準備をすることなく、記憶デバイス２５を接続するだけで上記機能を実装できる。
そして、プロジェクター１０においてネットワーク接続情報の設定が完了した後で記憶デバイス２５を接続し、この記憶デバイス２５をＰＣ５０に接続すれば、プロジェクションシステム１においてプロジェクター１０とＰＣ５０との無線通信が可能となる。
【００３５】
図３はプロジェクター１０の動作を示すフローチャートである。
ユーザーがＵＳＢコネクター１１ａにデバイスを接続すると（ステップＳ１１）、デバイス制御部４１はデバイスが接続されたことを検出し（ステップＳ１２）、接続されたデバイスの種類を判別する（ステップＳ１３）。デバイスの種類は、上述した汎用のＵＳＢメモリーデバイス、通信モジュール２６、及び、記憶デバイス２５のいずれかである。
デバイス制御部４１は、接続を検出したデバイスが汎用のＵＳＢメモリーデバイスである場合は、そのまま本処理を終了する。デバイス制御部４１は、後述するように汎用のＵＳＢメモリーデバイスから画像データを読み出す処理等を行ってもよい。
【００３６】
接続されたデバイスが通信モジュール２６であると判別した場合、デバイス制御部４１は、ステップＳ１４に移行して、ネットワーク接続情報を通信モジュール２６に設定する。このステップＳ１４では、操作パネル（図示略）やリモコン２８の操作によりネットワーク接続情報が入力され、または、通信設定データ記憶部１５ａからネットワーク接続情報が読み出されて、デバイス制御部４１により設定される。ネットワーク接続情報の設定後、制御部１４はステップＳ１５に移行し、ＰＣ５０に記憶デバイス２５が接続されてネットワーク接続情報が設定されたか否かを判定する。ステップＳ１５では、例えば、制御部１４の制御により、記憶デバイス２５がＰＣ５０に接続されたか否かを確認するメッセージがスクリーンＳＣに投射され、ユーザーがリモコン２８を操作して、記憶デバイス２５がＰＣ５０に接続されたか否かを入力する。
【００３７】
ここで、ＰＣ５０に記憶デバイス２５が接続されていない場合（ステップＳ１５；Ｎｏ）、デバイス制御部４１は、通信モジュール２６が取り外されるか否かを判別する（ステップＳ１６）。例えば、デバイス制御部４１は、ユーザーがリモコン２８を操作して通信デバイス２６の取り外しを指示した場合に、通信モジュール２６が取り外されると判別する。通信モジュールが取り外される場合（ステップＳ１６：Ｙｅｓ）、デバイス制御部４１は、通信モジュール２６に設定した通信設定データを、記憶部１５にネットワーク接続情報１５ｄとして記憶する（ステップＳ１７）。ユーザーによって通信モジュール２６がＵＳＢコネクター１１ａから引き抜かれると（ステップＳ１８）、デバイス制御部４１はステップＳ１１に戻る。
その後、ステップＳ１１でＵＳＢコネクター１１ａにデバイスが接続されると、デバイス制御部４１は、ステップＳ１２で接続されたデバイスを検出する。
【００３８】
ステップＳ１３において、ＵＳＢコネクター１１ａに接続されたデバイスが記憶デバイス２５であると判別した場合、デバイス制御部４１は、記憶部１５に記憶したネットワーク接続情報１５ｄを読み出して（ステップＳ２０）、記憶デバイス２５に書き込む（ステップＳ２１）。その後、ユーザーによって記憶デバイス２５がＵＳＢコネクター１１ａから引き抜かれると（ステップＳ２２）、デバイス制御部４１はステップＳ１１に戻る。
【００３９】
このように、ＵＳＢコネクター１１ａに通信モジュール２６が接続されてステップＳ１１〜Ｓ１７の処理が実行され、その後、ＵＳＢコネクター１１ａに記憶デバイス２５が接続されてステップＳ１９〜Ｓ２１の処理が実行されると、記憶デバイス２５にネットワーク接続情報が記憶される。この記憶デバイス２５をＰＣ５０に接続することで、ＰＣ５０にネットワーク接続情報が設定され、ＰＣ５０は通信可能な状態となる。また、ＵＳＢコネクター１１ａに通信モジュール２６が再び接続されると、プロジェクター１０は通信可能な状態となる。
その後、デバイス制御部４１は、デバイスの接続を検出し（ステップＳ１２）、接続されたデバイスの種類を判別し（ステップＳ１３）、通信モジュール２６が接続された場合に、既に入力済みのネットワーク接続情報を設定する（ステップＳ１４）。ＰＣ５０に記憶デバイス２５が接続されている場合（ステップＳ１５；Ｙｅｓ）、制御部１４は通信モジュール２６を用いて無線通信を開始し（ステップＳ２３）、ＰＣ５０との間に無線通信ネットワーク１００を形成する。制御部１４は、無線通信ネットワーク１００を介してＰＣ５０から画像データを受信し、投射制御部４３および補正制御部４４の機能によって、ＰＣ５０から受信した画像データに基づいてスクリーンＳＣに画像を投射する（ステップＳ２４）。
【００４０】
以上説明したように、本発明を適用した実施形態に係るプロジェクター１０は、通信モジュール２６や記憶デバイス２５などのデバイスを接続すると、インターフェイス部１１に通信モジュール２６が接続された場合に、通信モジュール２６を介して無線通信ネットワーク１００に接続して通信を実行させるデバイス制御部４１と、通信モジュール２６を介して受信された画像データに基づいて画像を表示する表示手段３７と、を備え、デバイス制御部４１が、インターフェイス部１１から通信モジュール２６が外れたことを検出した場合、通信モジュール２６を用いた通信に関する情報を取得し、データを記憶可能な記憶デバイス２５がインターフェイス部１１に接続されたことを検出して、記憶デバイス２５に記憶させることを特徴とする。
この構成によれば、インターフェイス部１１に記憶デバイス２５を接続することにより、通信モジュール２６により通信を実行する際に用いた情報を記憶デバイス２５に記憶することができる。これにより、記憶デバイス２５に記憶させたネットワーク接続情報を利用することで、ＰＣ５０に対して簡単に、ミスなくネットワーク接続情報を設定できる。また、通信モジュール２６と記憶デバイス２５の両方を同時に接続している必要がないため、プロジェクター１０が一つのＵＳＢコネクター１１ａしか備えていなくても、利便性を損なうことがない。
【００４１】
また、デバイス制御部４１は、通信モジュールとして無線通信モジュール２６が接続された場合に、指定された設定情報に基づいて通信モジュール２６により無線通信ネットワークに接続し、インターフェイス部１１から通信モジュール２６が外れたことを検出した場合、ネットワーク接続情報を取得して記憶デバイス２５に記憶させるので、無線通信を行う場合のネットワーク接続情報を、記憶デバイス２５に記憶させて、簡単にＰＣ５０に設定できる。
【００４２】
また、インターフェイス部１１は、通信モジュール２６と記憶デバイス２５とのいずれも接続可能なＵＳＢコネクター１１ａを接続部として有することを特徴とする。
この構成によれば、通信モジュール２６と記憶デバイス２５を同じ接続部に接続可能であるため、インターフェイス部１１が一つの接続部のみ備えた構成とすることができ、部品点数の削減により装置構成の単純化および表示装置の小型化を実現できる。
【００４３】
また、記憶デバイス２５に記憶されたネットワーク接続情報は、ＰＣ５０にネットワーク接続情報を設定するために利用される他、バックアップデータとして使用できる。例えば、記憶デバイス２５をＵＳＢコネクター１１ａに接続した場合に、デバイス制御部４１が記憶デバイス２５からネットワーク接続情報をロードして、通信の設定に利用してもよい。この場合、プロジェクター１０において、ネットワーク接続情報をリモコン２８や操作パネル（図示略）によって入力する手間を省くこともできる。
【００４４】
なお、上述した実施形態は本発明を適用した具体的態様の例に過ぎず、本発明を限定するものではなく、上記実施形態とは異なる態様として本発明を適用することも可能である。例えば、上記実施形態において、設定記憶部１５ｃに格納される設定情報を設定する場合に、プロジェクター１０の操作パネル（図示略）の操作により、メニュー表示部４５がＯＳＤ画像記憶部１５ｂから設定用の画像データを取得して、スクリーンＳＣにＯＳＤ画像を表示し、ユーザーがリモコン２８を操作して設定を行ってもよい。このＯＳＤ画像を用いて設定される項目としては、例えば、記憶デバイス２５へのネットワーク接続情報の書き込みを実行するか否かの設定がある。デバイス制御部４１は、図３のステップＳ２１でネットワーク接続情報を書き込む前に、設定記憶部１５ｃに記憶されたデータを参照して、書き込みを実行するか否かの設定を確認してもよい。この場合、記憶デバイス２５がＵＳＢコネクター１１ａに接続されてもネットワーク接続情報の書き込みを行わないように、設定できる。
また、プロジェクター１０は、通信設定データ記憶部１５ａに複数のネットワーク接続情報を記憶しておき、デバイス制御部４１の制御により、通信設定データ記憶部１５ａに記憶された複数のネットワーク接続情報を順次読み出して設定し、無線通信ネットワーク１００への接続に成功するまでネットワーク接続情報を切り替えて試行してもよい。この場合、デバイス制御部４１は、通信に成功したときのネットワーク接続情報を、記憶部１５にネットワーク接続情報１５ｄとして記憶する。
また、ＵＳＢコネクター１１ａには、汎用のＵＳＢメモリーデバイスや、撮影装置等の各種機器を接続することが可能である。デバイス制御部４１は、汎用ＵＳＢメモリーデバイスが接続された場合、このＵＳＢメモリーデバイスに記憶された画像データを検索して読み出し、順次、この画像データをスクリーンＳＣに投射してもよい。また、デジタルカメラや書画カメラ等の撮影装置がＵＳＢコネクター１１ａに接続された場合、デバイス制御部４１は、これらの撮影装置から入力される画像データを、スクリーンＳＣに投射させてもよい。
【００４５】
また、上記実施形態においては、通信回線を、無線通信ネットワーク１００により構成するものとして説明したが、有線の通信ネットワークにより構成したり、有線と無線の通信ネットワークの両方により構成したりしてもよい。有線ネットワークにプロジェクター１０を接続する場合、デバイス制御部４１は、通信モジュール２６として有線通信回線を介して通信を実行する有線通信デバイスが接続されたときに、指定されたネットワーク接続情報に基づいて有線通信デバイスによりネットワークに接続し、インターフェイス部１１から通信デバイスが外れたことを検出したときに、ネットワーク接続情報を取得し、記憶デバイス２５に記憶させればよい。ここでのネットワーク接続情報は、例えば、ネットワークアドレス、サブネットマスク、グループ名、パスワード等などを含む情報である。
この場合、通信デバイスを介してプロジェクター１０をネットワークに接続するためのネットワーク接続情報を、容易に記憶デバイス２５に記憶できるので、ネットワークに接続するための設定情報の入力や保存が容易になる。
【００４６】
また、インターフェイス部１１は、記憶デバイス２５や通信モジュール２６等のデバイスとプロジェクター１０とを接続可能なものであれば特に限定されず、上述したＵＳＢ規格のほか、例えばＩＥＥＥ１３９４等の他の規格に準拠したインターフェイスを用いることが可能である。
【００４７】
また、例えば、上記実施形態の表示装置は、スクリーンＳＣに画像を投射するプロジェクターである構成としたが、これに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Ｏｒａｇａｎｉｃ  ｌｉｇｈｔ―ｅｍｉｔｔｉｎｇ  ｄｉｏｄｅ）、ＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネルに画像／画像を表示するモニター装置またはテレビ受像機等の自発光型の表示装置など、各種の表示装置に対しても本発明を適用できる。
【符号の説明】
【００４８】
１…プロジェクションシステム（表示システム）、１０…プロジェクター（表示装置）、１１…インターフェイス部、１１ａ…ＵＳＢコネクター（接続部）、１６…入力処理部（操作検出手段）、２５…記憶デバイス（デバイス）、２６…無線通信モジュール（デバイス、通信デバイス）、３７…表示手段、４１…デバイス制御部（デバイス制御手段）、４５…メニュー表示制御部（メニュー表示制御手段）、４７…設定部（設定手段）、１００…無線通信ネットワーク（通信ネットワーク）。
【図１】
2014059714.tif 000003
【図２】
2014059714.tif 000004
【図３】
2014059714.tif 000005